(57)【特許請求の範囲】
【請求項１】
光源からの光によって透過原稿を走査し、前記透過原稿の透過光を結像レンズによって受光材料に結像する画像記録装置であって、
前記光源が前記結像レンズの光軸から外れて配置され、かつ、少なくとも一部が前記結像レンズの光軸上に位置する、前記光源より射出された光の少なくとも一部を反射して平行光にする前記光源の前記結像レンズの光軸側のみに配置される平行光部材、前記光源の光進行方向と逆側に配置され前記光源より射出された光のうち前記平行光部材に入射しなかった光を光源の中心方向に反射する光反射板、および、前記平行光部材によって反射された光の少なくとも一部を前記結像レンズの光軸上に集光する、少なくとも一部が前記結像レンズの光軸上に位置する集光レンズあるいはミラーを有し、かつ、前記集光レンズあるいはミラーからの光を、前記透過原稿に対して結像レンズの光軸の両側から入射することを特徴とする画像記録装置。
【請求項２】
前記集光レンズあるいはミラーが、おおむね前記透過原稿の前記結像レンズ光軸上に焦点を有する集光レンズあるいはミラーか、前記結像レンズの光軸近辺と他の部分とで異なる焦点を有し、前記結像レンズ光軸近辺の焦点が前記結像レンズの瞳位置であり、他の部分の焦点がおおむね前記透過原稿の結像レンズ光軸近傍である集光レンズあるいはミラーのいずれかである請求項１に記載の画像記録装置。
【請求項３】
前記平行光部材が前記結像レンズの光軸と平行ではない平行光を射出するように配置され、かつ、前記集光レンズあるいはミラーが前記結像レンズと光軸をずらして配置される請求項１または２に記載の画像記録装置。
【請求項４】
前記平行光部材が前記結像レンズの光軸と平行な平行光を射出するように配置され、かつ、前記集光レンズがあるいはミラー前記結像レンズと光軸を一致して配置される請求項１または２に記載の画像記録装置。
【請求項５】
前記平行光部材が放物面ミラーである請求項１〜４のいずれかに記載の画像記録装置。
【請求項６】
前記光反射板が円筒形ミラーである請求項１〜５のいずれかに記載の画像記録装置。
【請求項７】
請求項１〜６のいずれかに記載の画像記録装置において、集光光束中に前記結像レンズの光軸近傍の一部の光の集光位置を変えるレンズを設けた画像記録装置。
【請求項８】
前記集光光束中のレンズが互いに分離した２枚以上のレンズから構成されている請求項７に記載の画像記録装置。
【請求項９】
請求項１〜８のいずれかに記載の画像記録装置において、前記光源から受光部材に至るまでの光路中に、光量を調節する手段、色バランスを調節する手段、および透過原稿面における面方向の光量バランスを調節する手段からなる群より選ばれる１以上が配置される画像記録装置。
【請求項１０】
前記光量を調節する手段、色バランスを調節する手段、透過原稿面における面方向の光量バランスを調節する手段の少なくとも一つが光学干渉膜で構成されたフィルタであり、かつ光が平行光である位置に配置される請求項９に記載の画像記録装置。
【請求項１１】
請求項１〜１０のいずれかに記載の画像記録装置において、前記光源から受光部材に至るまでの光路中に、光路を折り曲げるミラーが設置されている画像記録装置。
【請求項１２】
前記光路を折り曲げるミラーがコールドミラーである請求項１１に記載の画像記録装置。
【請求項１３】
前記光路を折り曲げるミラーへの入射光軸と出射光軸とが成す角が９０°未満である請求項１１または１２に記載の画像記録装置。
【請求項１４】
前記光路を折り曲げるミラーのミラー面が放物面あるいは楕円面である請求項１１〜１３のいずれかに記載の画像記録装置。
【請求項１５】
前記受光材料が、感光材料、スクリーン、および光センサからなる群より選ばれる１以上である請求項１〜１４のいずれかに記載の画像記録装置。
【発明の詳細な説明】
【０００１】
【発明の属する技術分野】
本発明は透過原稿、特に露光オーバーのネガ原稿等であっても、十分な光量で高画質な画像記録を行うことができる画像記録装置に関する。
【０００２】
【従来の技術】
カラー複写装置や各種のカラープリンタ等の画像記録装置においては、対象とする原稿画像としては通常印刷物等の反射原稿が主であった。ところが、近年の画像情報記録の多用化に伴い、印刷物、写真等の反射原稿以外に、ネガフィルム、スライド、プルーフ、マイクロフィルム等の透過原稿の画像を読み取って、感光材料等に記録することができる画像記録装置が実用化されている。
反射原稿と透過原稿との両方が使用可能な画像記録装置は、透過原稿による画像記録のための露光光学系を形成する光源ユニットを画像記録装置本体に装填し、光源ユニットの光源より射出された光を透過原稿に入射して透過させ、この透過光を感光材料（あるいはスクリーンや光センサ）上に結像することによって、感光材料を露光する。
【０００３】
このような画像記録装置において、通常の反射原稿の画像露光は、一次元方向に延在する照射光を射出する走査子、複数のミラー、調光用の色フィルタや絞り、結像レンズ等が組み合わされて構成される、画像記録装置本体の露光光学系によって行われる。
画像記録装置本体の露光光学系（以下、本体露光系とする）による画像露光は、走査子を前記一次元方向と略直交する走査方向に移動することによって、原稿台上に載置された反射原稿を前記照射光によって２次元的に走査する。反射原稿からのスリット状の反射光は、複数のミラーによって所定の光路を進行し、色フィルタや絞りによって色や光量、結像レンズによって結像位置や倍率等が調節され、走査子の移動に同期して搬送される感光材料上の画像露光位置に入射・結像して、感光材料を露光する。
【０００４】
一方、透過原稿の画像記録において、４×５サイズのスライドやベタ焼き等の比較的大きな透過原稿を用いて画像記録を行う場合には、画像記録装置本体の原稿台上に載置（あるいは近傍に保持）された透過原稿を上方より照射する透過原稿用の光源ユニットが知られている。
このような光源ユニットを用いた透過原稿の読み取りは、前述の本体露光系を利用するものであって、光源ユニットより射出され、透過原稿を通過した透過光を前述の走査子の光源を点灯しないで走査することによって、同様にして透過原稿の透過光を感光材料上の画像露光位置に結像し、透過原稿の画像を感光材料に露光する。
【０００５】
これに対し、１３５サイズやブローニーサイズのネガフィルムやスライド等の小型の透過原稿を用いた画像記録を行う透過原稿用のユニットとして、特開平２−２４２２４６号公報に開示されるような投影タイプの露光光学系を有するフィルム走査ユニットが知られている。
この投影タイプのフィルム走査ユニットは、画像記録装置本体の所定の部分に装填されて使用されるものであり、投影用光源、調光用の色フィルタ、光量調節用のＮＤフィルタ、透過原稿を保持して搬送（走査）される原稿ホルダ、透過原稿の透過光を規制するスリット、結像レンズとして用いられるズームレンズ、光路調節用のミラー等を有するものである。
【０００６】
このフィルム走査ユニットを用いた画像記録装置を図３に概念的に示す。
図３に示される画像記録装置１００は、基本的に、光源１０２と、光調節部材１０４と、拡散板１０６と、図３紙面と直交方向に長尺なスリット１０８ａを有するアパーチャ１０８と、ズームレンズ（結像レンズ）１１０と、リフレクタ１１２と、透過原稿Ｇの搬送手段（図示省略）とを有する。
【０００７】
図示例の画像記録装置１００による透過原稿Ｇの画像記録においては、光源１０２より射出された光は、楕円形ミラー１１２ａ，１１２ｂおよび円形ミラー１１２ｃより構成されるリフレクタ１１２によって反射されて、透過原稿Ｇに向かって進行する。ここで、リフレクタ１１２は拡散板１０６の結像レンズ光軸上に焦点を結ぶように構成される。
リフレクタ１１２によって反射された光は、次いで、Ｃ，ＭおよびＹの３種の色フィルタより構成される光調節部材１０４によって色バランスや光量を調節され、拡散板１０６に入射し、拡散される。
【０００８】
拡散板１０６によって拡散された光は、図示しない原稿ホルダに保持された透過原稿Ｇに入射し、透過原稿Ｇの画像を担持する透過光となり、次いで、アパーチャ１０８のスリット１０８ａによって長尺なスリット光とされる。
ここで、透過原稿Ｇ（原稿ホルダ）は、記録装置本体における感光材料Ａの移動方向に対応する、図中矢印ａで示される原稿走査方向に搬送され、かつスリットは搬送方向と略直交する方向（紙面と垂直方向）に長尺であるので、結果的に透過原稿Ｇはスリット走査されたことと同様になる。
【０００９】
スリット１０８ａを通過した透過光は、結像レンズ１１０によって設定倍率に拡大されて、本体露光系に入射する。本体露光系においては、透過光は光路に挿入自在のミラーによって前述の反射原稿の反射光と光路を一致されて、反射原稿による画像記録と同様に、透過原稿Ｇの搬送に同期して搬送される感光材料Ａに入射・結像して、感光材料Ａを露光する。
【００１０】
【発明が解決しようとする課題】
このようなスリット走査を利用する画像記録装置１００においては、拡散板１０６によって拡散されて透過原稿Ｇを透過した透過光のうち、アパーチャ１０８のスリット１０８ａを通過し、結像レンズ１１０の入射瞳に入った光が感光材料Ａの露光に寄与する。
アパーチャ１０８はスキャン時の解像度劣化（レンズの歪曲による）を少なくするため、画面の範囲を規制する働きをしており、高画質な画像記録を実現するためには不可欠な部材である。また、拡散板１０６は透過原稿Ｇに付着したゴミや傷等を目立たなくするために必要な拡散光を発生させるものであり、やはり高画質な画像記録を行うためには不可欠な部材である。
【００１１】
ところが、この拡散板１０６とアパーチャ１０８が必要なため、従来の画像記録装置１００では光源１０２からの光の利用効率が低く、場合によっては十分な露光量を得ることができないという問題点がある。
つまり、図では光源１０２から等角度間隔で光線を示しているが、光源１０２から拡散板１０６に直接向かう光は発散光であり、また、拡散板１０６の結像レンズ１１０光軸上に収束する光線は、楕円形ミラー１１２ａおよび１１２ｂで反射されて斜めに拡散板に入射する光だけである。そのため、拡散板１０６で拡散された光のうち、透過原稿Ｇおよびアパーチャ１０８を垂直に通過して結像レンズ１１０の入射瞳に入射する光、すなわち露光に寄与する光の割合が低く効率が悪い。
しかも、記録する画像の解像度を高くするためには、アパーチャ１０８に形成されるスリット１０８ａを狭くする必要があり、結像レンズ１１０の有効画角はより狭いものとなってしまうため、さらに光の利用効率は低下する。
【００１２】
特にネガフィルムは、リバーサルフィルム等のポジフィルムに比べフィルムに記録される画像の濃度範囲が広く、透過原稿Ｇとしてネガフィルムを利用可能な画像記録装置においては、不適に高濃度（露光オーバー）の画像が記録されたものも透過原稿Ｇとして使用される。
ところが、従来の画像記録装置１００では、前述のように光の利用効率が低いため、露光オーバーの透過原稿Ｇの画像記録を行った際には、感光材料Ａの露光に十分な光量（光強度）の透過光を結像レンズ１１０の入射瞳に入射して、感光材料Ａを十分な露光量で感光材料を露光することができず、高画質な画像記録を行うことができないという問題点がある。
【００１３】
また、感光材料Ａの露光量を十分に確保するために、光源１０２の光量を大きくする、結像レンズ１１０等の光学部材を調節する、露光時間を長くする方法等が考えられるが、光源１０２や光学部材の結像レンズ、特にズームレンズによる調節には限界があり、また、露光時間を長くすると画像記録に時間がかかってしまうという問題点がある。
【００１４】
本発明の目的は、前記従来技術の問題点を解決することにあり、ネガフィルムやリバーサルフィルム等の透過原稿の画像記録を行う画像記録装置であって、透過原稿およびアパーチャを垂直に通過して結像レンズの入射瞳に入射する光成分を多くすることにより、光の利用効率が極めて高く、十分な光量（光強度）の透過光を結像レンズの入射瞳に入射することができ、また、透過原稿に付着したゴミや透過原稿のキズ等の目立たない高画質な画像記録を行うことができ、しかも、装置構成も簡単で、露光時間を伸ばすことなく効率のよい画像記録を実施することができる画像記録装置を提供することにある。
【００１５】
前記目的を達成するために、本発明の画像記録装置は、光源からの光によって透過原稿を走査し、前記透過原稿の透過光を結像レンズによって受光材料に結像する画像記録装置であって、前記光源が前記結像レンズの光軸から外れて配置され、かつ、少なくとも一部が前記結像レンズの光軸上に位置する、前記光源より射出された光の少なくとも一部を反射して平行光にする前記光源の前記結像レンズの光軸側のみに配置される平行光部材、前記光源の光進行方向と逆側に配置され前記光源より射出された光のうち前記平行光部材に入射しなかった光を光源の中心方向に反射する光反射板、および、前記平行光部材によって反射された光の少なくとも一部を前記結像レンズの光軸上に集光する、少なくとも一部が前記結像レンズの光軸上に位置する集光レンズあるいはミラーを有し、かつ、前記集光レンズあるいはミラーからの光を、前記透過原稿に対して結像レンズの光軸の両側から入射することを特徴とする画像記録装置を提供する。
【００１６】
また、前記集光レンズが、おおむね前記透過原稿の前記結像レンズ光軸上に焦点を有する集光レンズか、前記結像レンズの光軸近辺と他の部分とで異なる焦点を有し、前記結像レンズ光軸近辺の焦点が前記結像レンズの瞳位置であり、他の部分の焦点がおおむね前記透過原稿の結像レンズ光軸上である集光レンズのいずれかであるのが好ましい。
【００１７】
また、前記平行光部材が前記結像レンズの光軸と平行ではない平行光を射出するように配置され、かつ、前記集光レンズが前記結像レンズと光軸をずらして配置されるのが好ましい。
もしくは、前記平行光部材が前記結像レンズの光軸と平行な平行光を射出するように配置され、かつ、前記集光レンズが前記結像レンズと光軸を一致して配置されるのが好ましい。
【００１８】
また、前記平行光部材が放物面ミラーであるのが好ましく、また、前記光反射板が円筒形ミラーであるのが好ましい。
【００１９】
さらに、本発明の画像記録装置において、集光光束中に前記結像レンズの光軸近傍の一部の光の集光位置を変えるレンズを設けたのが好ましい。
この際において、前記集光光束中のレンズが互いに分離した２枚以上のレンズから構成されているのが好ましい。
【００２０】
さらに、本発明の画像記録装置において、前記光源から受光部材に至るまでの光路中に、光量を調節する手段、色バランスを調節する手段、および透過原稿面における面方向の光量バランスを調節する手段からなる群より選ばれる１以上が配置されるのが好ましい。
この際において、前記光量を調節する手段、色バランスを調節する手段、透過原稿面における面方向の光量バランスを調節する手段の少なくとも一つが光学干渉膜で構成されたフィルタであり、かつ光が平行光である位置に配置されるのが好ましい。
【００２１】
さらに、本発明の画像記録装置において、前記光源から受光部材に至るまでの光路中に、光路を折り曲げるミラーが設置されているのが好ましい。
この際において、前記光路を折り曲げるミラーがコールドミラーであるのが好ましく、また、前記画像記録装置において、前記光路を折り曲げるミラーへの入射光軸と出射光軸とが成す角が９０°未満であるのが好ましく、また、前記画像記録装置において、前記光路を折り曲げるミラーのミラー面が放物面あるいは楕円面であるのが好ましい。
【００２２】
さらに、本発明の画像記録装置において、前記受光材料が、感光材料、スクリーン、および光センサからなる群より選ばれる１以上であるのが好ましい。
【００２３】
【発明の作用】
本発明の画像記録装置は、走査露光によって１３５サイズやブローニーサイズのネガフィルムやスライド等の各種の透過原稿の画像を記録する画像記録装置であって、光源から射出された光を効率よく透過原稿に略垂直に入射させるために、光源を結像レンズの光軸から外して配置し、さらに、少なくとも一部が結像レンズの光軸上に位置する、結像レンズ光源からの光の少なくとも一部を反射して平行光とする例えば放物面ミラー等の平行光部材、およびこの平行光の少なくとも一部を結像レンズの光軸上に集光する、少なくとも一部が前記結像レンズの光軸上に位置する集光レンズあるいはミラーを有することを、その基本構成とする。
なお、本発明において、光源からの光を結像レンズの光軸上に集光するとは、光源からの光を、結像レンズから見た所定立体角内（光軸を含む）に収束させることをいう。
【００２４】
このような本発明の画像記録装置においては、図３に示される従来の装置では光効率が悪く微弱であった透過原稿にほぼ垂直に入射する光を、平行光部材および集光レンズによって、効率よく多量に発生することができ、透過原稿およびアパーチャを垂直に通過して結像レンズの入射瞳に入射する光成分、すなわち露光に寄与する光成分を多くできる。つまり本発明によれば、極めて高い光効率で高光量の透過光を結像レンズの入射瞳に入射することができる。
【００２５】
従って、本発明の画像記録装置によれば、透過原稿のキズやホコリ等の目立たない高画質な画像記録が可能であり、しかも、良好な光効率で十分な光量（光強度）の透過光を確保できるので、透過原稿が露光オーバーのネガフィルム等であっても、良好な画像記録を行うことができる。
しかも、本発明の画像記録装置は、特別な部品を追加することなく、光源の配置位置を通常とずらして、これに応じて光源からの集光部材を変更しただけの簡易な構成であり、また露光時間を延長する必要もなく迅速な画像記録を実現することができる。
【００２６】
【発明の実施の形態】
以下、本発明の画像記録装置について、添付の図面に示される好適実施例を参照して詳細に説明する。
【００２７】
図１に、本発明の画像記録装置の一例を概念的に示す。
なお、図１に示される画像記録装置は、受光材料として感光材料を用いているが、本発明の画像記録装置の受光材料としては、これ以外にも、ＣＣＤセンサ、光電管等の各種の光センサや、スクリーン等も利用可能である。
【００２８】
図１に示される画像記録装置５０は、スリット走査露光によって、ネガフィルムやリバーサルフィルム等の透過原稿Ｇ（以下、原稿Ｇとする）の画像を感光材料Ａに記録する画像記録装置であって、基本的に、光源１６、リフレクタ５２、光調節手段２２、集光フレネルレンズ５４、紙面と直交する方向に長尺なスリット１４ａが形成されたアパーチャ１４、結像レンズ１２、および図示しない透過原稿Ｇの搬送手段と感光材料Ａの搬送手段を有する。
このような画像記録装置５０においては、結像レンズ１２の光軸上にアパーチャ１４のスリット１４ａを配置し、原稿Ｇをスリット１４ａの長手方向と直交する原稿走査方向（矢印ａ方向）に搬送することにより、原稿Ｇをスリット走査して、その透過光によって感光材料Ａをスリット走査露光する。
【００２９】
このような本発明の画像記録装置は、上記各部材（さらに必要に応じて感光材料の処理装置）が一体的に構成されているものであってもよく、あるいは、前述の従来の装置のように、反射原稿等の画像をスリット走査露光によって記録する画像記録装置本体に、光源１６、リフレクタ５２、集光フレネルレンズ５４、アパーチャ１４、結像レンズ１２、および原稿Ｇの搬送手段等を有する透過原稿用のスリット走査ユニットを装填して構成するものであってもよい。
【００３０】
図示例の画像記録装置５０において、光源１６は紙面と垂直方向（すなわち原稿走査方向と直交方向）に長尺な棒状光源で、結像レンズ１２の光軸Ｌ（以下、単に光軸Ｌとする）から外れた位置に、長手方向をスリット１４ａと一致して配置されている。
光源１６としては、ハロゲンランプ、水銀灯、蛍光灯、キセノンランプ、メタルハライドランプ等の公知の光源が各種利用可能である。
【００３１】
光源１６から射出された光は、直接、あるいは大部分はリフレクタ５２によって反射されて原稿Ｇ方向に進行する。
リフレクタ５２は、光軸Ｌを外して配置された光源１６に対して光軸Ｌ側に配置された平行光部材としての放物面ミラー５２ａと、原稿Ｇおよび放物面ミラー５２ａに入射しない光を光源１６の中心に反射する円形ミラー５２ｂとから構成される。放物面ミラー５２ａおよび円形ミラー５２ｂは、共に光源１６と同方向に長尺な形状を有する。
【００３２】
光源１６と原稿Ｇとの間には、色調節手段２２が配置され、色調節手段２２と原稿Ｇとの間には、集光フレネルレンズ５４が配置されている。
なお、必要に応じて、集光フレネルレンズ５４の直前（光進行方向上流側）には干渉膜で構成された熱反射フィルターを配置するのが好ましい。
【００３３】
光調節手段２２は、光源１６およびリフレクタ５２からの光の色バランスおよび光量を調節するもので、シアンフィルタ２２Ｃ、マゼンタフィルタ２２Ｍおよびイエローフィルタ２２Ｙの３種の色フィルタと、光量調節手段（絞り）２２Ｄとを有する。
【００３４】
図示例の装置においては、各色フィルタは板状色フィルタのであって、矢印ｂ方向に移動自在に構成され、その光路への挿入量を調節することによって、光源１６およびリフレクタ５２からの光の色バランスを調節する。
他方、光量調節手段２２Ｄは光源１６およびリフレクタ５２からの光の光量を調節するものであって、光路中に挿入自在な遮光板の挿入量を調節する手段、濃度の異なるＮＤフィルタを切り替えて光路中に挿入する手段、段階的あるいは連続的な濃度勾配を有するＮＤフィルタを用いその挿入量を調節する手段等、公知の各種の光量調節手段が利用可能である。
【００３５】
図示例の光調節手段２２は、光量調節手段２２Ｄを有するものであったが、本発明はこれに限定はされず、前記３種の色フィルタを同量光路中に挿入することにより、光量を調節してもよい。
ただし、後に詳述するが、本発明の画像記録装置５０は極めて良好な光効率を有し、高光量の透過光（原稿Ｇの透過光）を結像レンズ１２の入射瞳に入射することができるので、色フィルタを利用した光量調節では色フィルタの調整範囲が大変広くなり、微妙な色バランスおよび光量調節が難しくなってしまう。そのため、専用の光量調節手段を設けるのが好ましい。
また、好ましい態様として、光調節手段２２には、必要に応じて、原稿Ｇ面における面方向の光量バランスを調節するための光学部材を配置してもよい。このような光学部材としては、濃度勾配を有するＮＤフィルタや光路に挿入自在な遮光部材等が例示される。
【００３６】
本発明の画像記録装置は、光路中に光が平行光となる部分を有する。そのため、光調節手段２２は、この平行光となる部分に配置するのが好ましい。
このような構成にすることによって、各光学部材に垂直に光を入射することができ、各光学部材が設計特性で良好に作用すると共に、各光学部材が安定してその性能を発揮することができる。特に、色フィルタやＮＤフィルタ等の光学部材として、ガラス板等の透明基板上に蒸着によって干渉性のフィルタ層を形成した干渉フィルタを利用する場合には、この効果は大きい。
【００３７】
さらに、本発明の画像記録装置５０においては、必要に応じて、光調節手段２２の直上に熱吸収部材を併設してもよい。
熱吸収部材としては、ＨＯＹＡ社製のＨＡ５０などの熱吸収板等が好適に例示される。
【００３８】
前述のように、色調節手段２２と原稿Ｇとの間には、集光フレネルレンズ５４が配置されている。
図示例においては、集光フレネルレンズ５４はその光軸を光軸Ｌと一致して配置され、原稿Ｇ位置の光軸Ｌ上に焦点を有するように構成される（集光フレネルレンズ５４の焦点位置に原稿Ｇが配置される）。
【００３９】
光源１６より射出された光、およびリフレクタ５２によって反射された光は、集光フレネルレンズ５４によって原稿Ｇ上において光軸Ｌに集光されて、図示しない搬送手段によって原稿走査方向（矢印ａ方向）に移動される原稿Ｇを透過して、原稿Ｇの画像を担持する透過光となる。
【００４０】
ここで、本発明にかかる画像記録装置１０は、前述のように、光源１６は光軸Ｌから外れて配置され、リフレクタ５２の放物面ミラー５２ａに入射した光は平行光とされた後に、集光フレネルレンズ５４によって光軸Ｌ上に集光される。従って、画像記録装置５０においては、図１に示されるように、放物面ミラー５２ａの光軸Ｌ近傍に入射した光は、光軸Ｌに近い光路で進行して、ほぼ垂直に原稿Ｇに入射する。
つまり、本発明の画像記録装置においては、光源１６を光軸Ｌから外して配置し、また、この光源１６から射出された光を、少なくとも一部が結像レンズ１２の光軸Ｌ上に位置する平行光部材によって反射して平行光にすると共に、少なくとも一部が前記結像レンズの光軸上に位置する集光レンズ等によって平行光を光軸Ｌに集光することにより、光軸Ｌにほぼ沿って進行して原稿Ｇにほぼ垂直に入射する光を大量に発生することができるので、良好な光効率で高光量（高光強度）の透過光を結像レンズ１２の入射瞳に入射することができる。
【００４１】
また、図示例においては、集光フレネルレンズ５４によって集光された光が、広い角度範囲から収斂するように集光して原稿Ｇに斜めに入射するため、この光がいわゆる暗視野照明と同等の作用を有し、前述の図３の画像記録装置１００等に配置されていた拡散板１０６による拡散光と同様の機能を発揮するので、感光材料Ａに記録される画像において、原稿Ｇのキズやゴミ等が目立たない高画質な画像記録を行うことができる。
【００４２】
従って、このような本発明の画像記録装置によれば、良好な光効率で十分な透過光量を確保できるので、透過原稿が露光オーバーのネガフィルム等であっても、良好な画像記録を行うことができる。
しかも、従来の装置と比して、部品を増加する必要のない簡易な構成であり、また露光時間を延長する必要もなく迅速な画像記録を実現することができる。
【００４３】
ここで、図示例のように、原稿Ｇ上に焦点を有する画像記録装置５０（５６）においては、原稿Ｇの焦点位置において、光の入射角θに対する相対的な光強度Ｐ（θ）の分布が、原稿Ｇ面に垂直な方向を０度とした際に、おおむねＰ（θ）＝ｃｏｓθとなるように構成するのが好ましい。
これにより、原稿Ｇにおける光量分布を良好なものにして、原稿Ｇのキズやゴミ等がより目立たない、高画質な画像記録を行うことができる。
【００４４】
本発明の画像記録装置５０において、原稿Ｇの搬送手段には特に限定はなく、原稿Ｇを保持するホルダを用い、このホルダをねじ伝動、巻き掛け伝動、ベルト搬送、ローラ搬送等の公知の手段によって搬送するものであってもよく、ベルト搬送やローラ搬送等の公知のシート状物搬送手段によって、原稿Ｇを直接搬送するものであってもよい。
【００４５】
原稿Ｇを透過した透過光は、原稿走査方向と直交する方向（紙面と直交する方向）に長手方向を有するスリット１４ａが形成されたアパーチャ１４によって長尺なスリット光とされる。
ここで、原稿Ｇは後述する感光材料Ａの走査方向に対応する原稿走査方向（図中矢印ａ方向）に移動し、他方、アパーチャ１４に形成されるスリット１４ａは、原稿Ｇの移動方向と略直交する方向に長尺で、かつスリット１４ａの走査方向の中心が結像レンズ１２の光軸と一致するようにアパーチャ１４が配置されるので、原稿Ｇは結果的にスリット走査されたことと同様になる。
【００４６】
スリット１４ａを通過した透過光は、ズームレンズである結像レンズ１２に入射して、例えば、２００〜８５０％の所定の倍率に拡大されて感光材料Ａに結像する。感光材料Ａは、図示しない搬送手段によってスリット１４ａの長手方向と直交する図１中矢印ｃで示される走査方向に搬送されているので、スリット状の透過光によって全面的にスリット走査露光され、原稿Ｇの画像が感光材料Ａに露光される。
ここで、前述のように、本発明にかかる画像記録装置１０においては、原稿Ｇに垂直に入射する光が多量であるので、高光量の透過光を結像レンズ１２の入射瞳に入射し、光効率の良好な画像記録が可能である。
【００４７】
結像レンズ１２としては、原稿Ｇが１３５サイズ等の小型である場合には、記録画像のサイズ等の点で図示例のようなズームレンズを用いるのが好ましいが、本発明はこれに限定はされず、固定倍率の結像レンズであってもよい。
また、感光材料Ａの搬送手段にも特に限定はなく、ベルト搬送やローラ搬送等の通常の画像記録装置の感光材料搬送手段として利用される公知のシート状物搬送手段がいずれも利用可能である。
【００４８】
ここで、図１に示されるように、放物面ミラー５２ａによって反射される平行光と光軸Ｌとが平行な画像記録装置５０においては、その構成上、光軸Ｌとほぼ同様に進行して原稿Ｇに入射する光の分布が原稿走査方向にムラを生じてしまい、原稿Ｇ面にキズ、ゴミ等があった場合に原稿走査方向に光量ムラが発生して記録画像に濃度ムラ等を生じてしまう可能性がある。
そのため、これが甚だしい場合には、図２に示される画像記録装置５６のように、放物面ミラー５２ａからの平行光を光軸Ｌと平行ではなくして、かつ、集光フレネルレンズ５４の光軸Ｌｆを光軸Ｌとをズラして、集光フレネルレンズ５４によって光を光軸Ｌ上に集向するように構成してもよい。
このような構成とすることにより、原稿Ｇにほぼ垂直に入射する光の原稿面における光量分布をより平均化して、高画質な画像記録を行うことができる。
【００４９】
本発明の画像記録装置においては、結像レンズ１２の入射瞳に入射する透過光を集光させるように、集光フレネルレンズのうち、光軸Ｌ付近のみの焦点距離を長くして、この光軸Ｌ付近の領域は結像レンズ１２の瞳位置に焦点を有し、他の領域は原稿Ｇ上に焦点を有するようにしても良い。
【００５０】
この構成においても、収斂するように集光して原稿Ｇに斜めに光が入射するため、拡散板２０による拡散光と同様の機能を発揮して原稿Ｇのキズゴミ等が目立たない高画質な画像記録を行うことができる。なお、これらの光の焦点は、光軸Ｌの近傍であってもよい。
また、光軸Ｌ近傍の領域に入射した光は、ほぼ光軸Ｌに添って進行して原稿にほぼ垂直に入射し、結像レンズ１２の入射瞳に結像するので、非常に高い光効率で画像記録を行うことができる。
従って、この構成によれば、より高コントラストの画像記録が可能である。
【００５１】
ここで、前述のように、本発明の画像記録装置５０の結像レンズ１２はズームレンズであり、記録画像の倍率に応じて結像レンズ１２の瞳位置が変動する。
この場合には、変倍範囲のなかでほぼ平均的な倍率における瞳位置に、集光フレネルレンズの光軸Ｌ近傍の焦点を設定すればよい。また、コストおよびスペース的に可能であれば、集光フレネルレンズの光軸Ｌ近傍による集光光路中にズームレンズあるいは集光レンズを追加して、変倍に応じてレンズをズームまたは移動して集光位置を移動し、常に結像レンズ１２の瞳位置に焦点を設定するように構成してもよい。
【００５２】
また、本発明の画像記録装置においては、集光フレネルレンズ５４と原稿Ｇとの間に、拡散板を配置してもよい。
拡散板を配置しても、放物面ミラー５２ａの光軸Ｌ近傍に入射した光は、ほぼ光軸Ｌに沿って進行して原稿Ｇにほぼ垂直に入射するので、高い光利用効率で高光量の透過光を結像レンズ１２の入射瞳に入射できる。また、拡散板を有することにより、より原稿Ｇのゴミやキズ等の目立たない画像を記録でき、多少コントラストを抑えた柔らかい画像の記録が可能である。
【００５３】
本発明の画像記録装置が拡散板を有する場合には、図３に示される画像記録装置１００のように、光の焦点を、拡散板上の光軸Ｌとする態様が例示される。
この構成においては、拡散板と原稿Ｇとの間に、拡散板による拡散光の一部を反射するミラーを設置してもよい。
原稿Ｇにほぼ垂直に入射して結像レンズ１２の入射瞳に入射する透過光は露光に寄与し、それ以外の光は原稿Ｇのキズやゴミ等を目立たなくする光の役目をしている。ここで、両者の間には、キズ等の形状や大きさにより、望ましい光量バランスがある。ところが、本発明にかかる画像記録装置では、原稿Ｇに垂直に入射する光を増やしたため、場合によっては傷等を目立たなくするための拡散光が足りないこともあり得る。
そのため、拡散板と原稿Ｇとの間に、拡散光の一部を反射するミラーを設置することにより、拡散板による拡散光成分が結像レンズ１２の画角内で反射を繰り返すため、より原稿Ｇのキズや原稿Ｇに付着したゴミ等が目立たない、より良好な画像記録を実現することができる。
【００５４】
拡散板と原稿Ｇとの間にミラーを配置する例としては、２枚の平面ミラーを用い、互いの反射面の法線が原稿走査方向（矢印ａ方向）にほぼ一致し、かつ結像レンズ１２の光軸Ｌに対して対称な位置に設置した構成が例示される。
また、一対の楕円ミラーを用い、それぞれのミラーの母線を原稿走査方向および結像レンズ１２の光軸Ｌに垂直で、かつ光軸Ｌに対して対称な位置に設置した構成も好適に例示される。
【００５５】
あるいは、図１に示されるように、集光フレネルレンズ５４の焦点を原稿Ｇ上として、集光領域に拡散板を配置してもよい。
この構成によれば、拡散板による拡散光が集光フレネルレンズ５４による焦点に向かうように発生するので、拡散光の効率がよく、より好適に、原稿Ｇのゴミやキズの目立たない画像を記録することができる。
【００５６】
以上説明した本発明の画像記録装置では、集光フレネルレンズ５４によって光を光軸Ｌ上に集光したが、光路中に凹レンズを追加することで、結像レンズ１２の入射瞳に入射する透過光量を多くすることができる。利用する凹レンズとしては、光源側凹の双曲面、反対側凸の双曲面の非球面レンズまたは、片面平面反対側凹のシリンドリカルレンズ等が好適に例示される。
【００５７】
また、以上説明した本発明の画像記録装置においては、必要に応じて、光源から感光材料に至る光路中に、光路変更用のミラーを配置して光路（結像レンズ１２の光軸Ｌ）を折り曲げ、画像記録装置全体の小型化を計ってもよい。
特に、光路変更用のミラーへの入射光軸と出射光軸との成す角を９０°未満とすること、すなわち、光軸の折り曲げ角度を鋭角とすることにより、装置の小型化の効果をより良好に得ることができる。
【００５８】
光路変更用のミラーとしては、公知の各種のミラーがいずれも利用可能であるが、中でも特に、可視光を反射して赤外光を透過する、いわゆるコールドミラーを利用するのが好ましい。コールドミラーを用いることにより、感光材料等の受光材料が赤外線で不要に露光されることを好適に防止することができ、より高画質な画像記録を実施することができる。
また、光路変更用のミラーを楕円面あるいは放物面とすることにより、集光効率をより向上して、さらに光効率を向上することができる。
【００５９】
以上、本発明の画像記録装置について詳細に説明したが、本発明は上記実施例には限定されず、本発明の要旨を逸脱しない範囲において、各種の変更や改良等を行ってもよいのはもちろんである。
例えば、上述の各画像記録装置は、光源からの光をミラーによって平行光としたが、フレネルレンズ等のレンズによって光源からの光を平行光としてもよい。また、上述の各画像記録装置は、原稿移動型のスリット走査露光を利用するものであったが、本発明においては、いわゆる光源移動型のスリット走査露光も好適に利用可能である。また、上述の各画像記録装置は、スリット走査露光によって画像記録を行うものであったが、透過光を矩形等のスポット状として、受光材料および原稿、あるいは画像記録装置の光学系を２次元的に移動することによって受像材料を２次元的に走査して画像記録を行ってもよい。
【００６０】
【発明の効果】
以上詳細に説明したように、本発明の画像記録装置によれば、透過原稿のキズやホコリ等の目立たない高画質な画像記録が可能であり、しかも、良好な光効率で十分な透過光量を確保できるので、透過原稿が露光オーバーのネガフィルム等であっても、良好な画像記録を行うことができる。
しかも、従来の装置に比して部品点数の増加もない簡易な構成であり、また露光時間を延長する必要もなく迅速な画像記録を実現することができる。
【図面の簡単な説明】
【図１】  本発明の画像記録装置の一例を概念的に示す図である。
【図２】  本発明の画像記録装置の別の例を概念的に示す図である。
【図３】  従来の画像記録装置を概念的に示す図である。
【符号の説明】
５０，５６，１００  画像記録装置
１２，１１０  結像レンズ
１４，１０８  アパーチャ
１４ａ，１０８ａ  スリット
１６  １０２  光源
２２，１０４  光調節手段
２２Ｃ  シアンフィルタ
２２Ｍ  マゼンタフィルタ
２２Ｙ  イエローフィルタ
２２Ｄ  光量調節手段
５２，１１２  リフレクタ
５２ａ  放物面ミラー
５２ｂ，１１２ｃ  円形ミラー
５４  集光フレネルレンズ
１１２ａ，１１２ｂ  楕円形ミラー
【図１】
0003638575.tif 000002
【図２】
0003638575.tif 000003
【図３】
0003638575.tif 000004